(57)【要約】【課題】ビデオ記録用のメニューを生成する、改善された方法及び装置を提供する。【解決手段】本発明はビデオ記録用の、ＭＰＥＧ等の規格に従って符号化されるメニューを生成する方法及び装置並びにそのようなメニューを記憶する記録媒体に関する。メニューは、メニュー背景用のＩ−ピクチャ及び記録の１つ又は複数のサムネイル用のみのＰ−ピクチャに分けられる。メニューは、付加的な記録を表す画像情報を含む選択されたブロックのみの変更を有するＰ−ピクチャを生成させることによって、記録媒体上の付加的な記録に関連する情報で更新される。【選択図】図４
2007531435.tif 000002
【特許請求の範囲】
【請求項１】
ビデオ記録媒体（Ｄ１）用の、ＭＰＥＧ等の規格に従って符号化されるメニュー（Ｍ）を生成する方法であって、
複数ブロックからなる所定のイントラ符号化画像（Ｉ１）から始まり、
所定のブロックの変更情報を有しておらず、かつ前記記録媒体（Ｄ１）上の記録（Ｒ１、Ｒ２）を表す画像情報を含む選択されたブロック（ＲＥＣ１、ＲＥＣ２）の変更情報を有するインター符号化画像（Ｐ１）を生成し、
前記イントラ符号化画像（Ｉ１）及び前記インター符号化画像（Ｐ１）の両方をメニュー情報として用いることを特徴とする方法。
【請求項２】
２つ以上の記録（Ｒ１、Ｒ２）を表す画像情報を、前記インター符号化画像（Ｐ１）を生成するために用いることを特徴とする請求項１に記載の方法。
【請求項３】
前記記録媒体（Ｄ１）上の他の記録（Ｒ３、Ｒ４）をそれぞれ表す画像情報を含む選択されたブロック（ＲＥＣ３、ＲＥＣ４）のみの変更を有するインター符号化画像（Ｐ１）を生成することにより、前記記録（Ｒ３、Ｒ４）に関連する情報でメニュー（Ｍ）が更新されることを特徴とする請求項１又は２に記載の方法。
【請求項４】
インター符号化画像（Ｐ１’）が前回の前記インター符号化画像（Ｐ１）に加えられることを特徴とする請求項１から３のいずれか１項に記載の方法。
【請求項５】
新たな記録を表す前記画像情報（ＲＥＣ３）を生成するために、エンコーダ表示バッファからの画像が前記新たな記録の間、エクストラメモリ領域に複写され、前記新たな記録が終了した後に前記エクストラメモリ領域の画像がサブサンプリングされることを特徴とする請求項１から４のいずれか１項に記載の方法。
【請求項６】
ビデオ記録媒体（Ｄ１）用の、ＭＰＥＧ等の規格に従って符号化されるメニュー（Ｍ）を生成する装置であって、所定のイントラ符号化画像メモリ（Ｍ１）と、表示画像メモリ（Ｍ２）と、基準としての前記イントラ符号化画像メモリ（Ｍ１）の出力及び記録される変更としての前記表示画像メモリ（Ｍ２）の出力を用いてインター符号化画像（Ｐ１）を生成するためのエンコーダ（Ｅ１）と、記録ユニット（Ｒ１）とを有することを特徴とする装置。
【請求項７】
高速のエンコーダ（Ｅ２）及び低速のエンコーダ（Ｅ１）を備え、該低速のエンコーダ（Ｅ１）がメニューの生成に用いられ、前記高速のエンコーダ（Ｅ２）が動ビデオシーケンスを符号化するために用いられることを特徴とする請求項６に記載の装置。
【請求項８】
前記高速のエンコーダ（Ｅ２）が表示バッファを有し、当該装置が、エクストラメモリ領域を付加的に有しており、記録の間、前記表示バッファからの画像を前記エクストラメモリ領域にコピーし、前記記録の後、前記エクストラメモリ領域の画像を前記新たな記録を表す画像情報（ＲＥＣ３）にサブサンプリングするように構成されていることを特徴とする請求項７に記載の装置。
【請求項９】
１つ又はいくつかの記録（Ｒ１、Ｒ２、Ｒ３、Ｒ４）と少なくとも１つの記録（Ｒ１、Ｒ２、・・・）に関する情報のメニュー（Ｍ）とを記録した記録媒体（Ｄ１）であって、前記メニュー（Ｍ）が、所定のイントラ符号化画像（Ｉ１）と、選択された領域（ＲＥＣ１、ＲＥＣ２・・・）のみの差の情報を有する少なくとも１つのインター符号化画像（Ｐ１）とを備えており、前記差の情報が、記録（Ｒ１、Ｒ２・・・）を表す画像情報（ＲＥＣ１、ＲＥＣ２）に関連していることを特徴とする記録媒体。
【発明の詳細な説明】
【技術分野】
【０００１】
本発明は、ビデオ記録媒体用のメニューを生成する方法及び装置に関し、このメニューはＭＰＥＧ等の規格に従って符号化される。このようなＭＰＥＧ等の規格は、例えば、ＭＰＥＧ−１、ＭＰＥＧ−２で知られているが、同じように基準画像及びその基準画像に基づく予測画像を用いる同様の符号化方法も存在する。
【背景技術】
【０００２】
ビデオ記録用のメニューを生成する公知の装置において、メニューの符号化はハードウェアエンコーダによって行われる。これは、その装置で使用可能なエンコーダが１つしかないので、符号化の間、ライブ画像を提供することができないという欠点を有する。
【０００３】
ビデオ記録用のメニューを生成する別の公知の装置において、メニューは、ソフトウェアエンコーダによって、１つの独立して符号化される画像として符号化される。この場合、ライブ画像はメニュー生成の間も提供されるが、ロゴ及び記録の１つ又は複数のサムネイルを含むメニューを符号化するのに約３０秒もかかり、この間ユーザは記録媒体又はこの記録媒体を保持するトレイにアクセスできないという欠点を有する。
【発明の開示】
【発明が解決しようとする課題】
【０００４】
本発明の目的は、ビデオ記録用のメニューを生成する、改善された方法及び装置を提供することにある。
【課題を解決するための手段】
【０００５】
本発明によると、メニューは、２つの画像、即ちＩ−ピクチャつまりメニュー背景用に独立して符号化される画像と、Ｐ−ピクチャつまり記録のサムネイル用のみに予測符号化される画像とに分けられる。
【０００６】
本発明による方法は、複数ブロックからなる所定のイントラ符号化画像から始まり、インター符号化画像を生成する。インター符号化画像は、所定のブロックの変更情報を含まないが選択されたブロックの変更情報を含む。選択されたブロックは、記録媒体上の記録を表す画像情報を含む。イントラ符号化画像及びインター符号化画像の両方がメニュー情報として受け取られ、記録媒体上に蓄積される。
【０００７】
イントラ符号化画像はしばしばＩ−ピクチャとして参照され、一方、インター符号化画像は通常Ｐ−ピクチャとして参照される。インター符号化画像は、前回のイントラ符号画像に基づいており、これら２つの画像間の変更情報だけを含む。
【０００８】
本発明の利点は、所定の画像を符号化する時間が不要な点にある。所定の画像は、好ましくは、例えば会社のロゴ、ユーザが定義した画像等のメニューの背景である。必要とされる唯一の時間は、記録媒体上の記録を表す情報を含む少数の選択されたブロックを符号化するための時間である。これにより、メニュー生成を短時間に終了させることができ、従って、ユーザに悪影響を及ぼさずに比較的低速の即ち低能力のエンコーダを用いることができる。
【０００９】
好ましくは、２つ以上の記録を表す画像情報を、インター符号化画像を生成するために用いる。メニューがいくつかの記録を含む場合、各記録に対して小さい方のブロック領域が用いられる、これは、いくつかの記録に対するメニューが１つ又は非常に少ない数の記録に対する時間と同じ時間で生成されるという利点を有する。
【００１０】
本発明によれば、記録媒体上の付加的な記録を表す画像情報を含む選択されたブロックのみの変更を有するインター符号化画像を生成することにより、付加的な記録に関連する情報でメニューが更新される。選択されたブロックは、同一メニュー上に表示されている例えば記録１、記録２、等のために選択される。メニューの更新を示唆する記録媒体の中身の変更とは、記録を追加若しくは削除すること、又はある記録を表示する画像情報を異なる記録、例えばユーザによって選択された記録、で置き換えることである。
【００１１】
好ましくは、インター符号化画像が前回のインター符号化画像に加えられる。これは、前回のインター符号化画像を新たな画像に置き換える、前回のインター符号化画像と新たな画像とを混合する、又は前回のインター符号化画像にさらなる画像として新たな画像を加えることである。
【００１２】
ビデオ記録媒体用のメニューを生成する装置は、所定のイントラ符号化画像メモリと、表示画像メモリと、基準としてのイントラ符号化画像メモリの出力及び符号化される変更情報としての表示画像メモリの出力を用いたインター符号化画像を生成するためのエンコーダとを有する。所定のベース画像が既に符号化されており、差を符号化すれば良いだけなので、時間を短縮することができる。このため、それほど大きい符号化容量は必要ではない。
【００１３】
好ましくは、本発明による装置は、高速のエンコーダ及び低速のエンコーダを備え、低速のエンコーダがメニューの生成に用いられ、高速のエンコーダが動ビデオシーケンスを符号化するために用いられる。低速のエンコーダは好ましくはソフトウェアによって代表され、高速のエンコーダは好ましくはハードウェアによって代表される。高速のエンコーダは、メニューの生成に邪魔されることなく作動でき、例えば動画像情報を表示装置に供給するか、又は符号化された動画像情報を記録装置に供給し、一方、低速のエンコーダは、メニューの生成を同時にしかし独立して実行することができる。本発明の時間の短縮化のおかげで、低速のエンコーダによるメニューの生成であっても、ユーザに、低速度能力の感覚を与えずにすむ。
【００１４】
本発明による記録媒体は、ビデオ、静止画像、オーディオシーケンスなどといった１つ又はいくつかの記録と少なくとも１つの記録に関する情報のメニューの記録とを、その記録媒体上に記録する。メニューの記録は、同一の記録装置によって生成されるあらゆる記録媒体に対して同一である所定のイントラ符号化画像と、選択された領域のみの差の情報を有する少なくとも１つのインター符号化画像とを備えており、差の情報が記録を表す画像情報に関している。これはつまり、インター符号化画像は、ある特定の領域、例えば特定の範囲のブロック、のみに対する変更情報を含み、差はそこにしか存在しないということを意味する。差は記録媒体上の記録を表す１つ又はいくつかの画像情報を参照する。
【００１５】
本発明の詳細及び利点は、以下の記述で明らかになるであろう。
【発明を実施するための最良の形態】
【００１６】
公知の方式では、背景及び記録のサムネイルを含む、図３に示すようなメニューを符号化するために、ＭＰＥＧエンコーダが用いられる。このような方式は、ＭＰＥＧエンコーダハードウェアを用いるため、ハードウェア符号化と呼ばれている。ハードウェア符号化は、ライブ画像の符号化を停止し、ＭＰＥＧエンコーダを用いて１つの静止画像を符号化し、ライブ画像の符号化を再開することを含んでいる。ハードウェア符号化の欠点は、ＭＰＥＧエンコーダが停止したとき、ライブ画像がフリーズし、ユーザはライブビデオを見ることができないということである。また、エンコーダが正しく停止できないことがあり、静止画像を符号化できず、ユーザは、タイトルリストから記録のタイトルが見えるにもかかわらず、メニュー中にこの記録を見ることができないことがある。また、静止画像がうまく符号化されたとしても、数秒のライブ画像は失われ、この数秒の間に物語のエンディングがあったとしたら、ユーザはつらいであろう。
【００１７】
他の公知の方式では、背景及び記録のサムネイルを含む、図３に示すようなメニューを符号化するために、ソフトウェア符号化が用いられる。この方式において、メニューは単一のＩ−画像（ピクチャ）として符号化され、符号化は、新たな記録がなされた後毎に全てのビデオブロックに対してＤＣＴ（離散コサイン変換）及び量子化を適用することを含む。単一のＩ−フレームソフトウェア符号化の欠点は、多くの計算が含まれておりシステムのホストＣＰＵがそれほど速くないので、メニューを符号化する速度がハードウェア符号化に比べて明らかに遅いことである。
【００１８】
本発明では、ソフトウェア符号化を用いて、メニューが背景及び記録のサムネイルを含むにもかかわらず、新たな記録がなされたときにサムネイルだけが符号化されるという方法で、メニューを符号化する。図１から図３は、本発明によるメニューの構造を示している。
【００１９】
図１は、所定のイントラ符号化画像Ｉ１が「背景」として示されている例を示している。
【００２０】
図２は、選択されたブロックＲＥＣ１及びＲＥＣ２のみにおける変更情報を含むインター符号化画像Ｐ１を示している。図２はさらに、選択される可能性のあるブロックＲＥＣ３、ＲＥＣ４も示している。選択されたブロックＲＥＣ１及びＲＥＣ２は、記録媒体上の２つの記録を表す画像情報を含む。選択されたブロックＲＥＣ３、ＲＥＣ４は、記録媒体上の今後の記録を表す画像情報を含むよう意図されている。
【００２１】
図３は、メニューの背景と、記録媒体上の２つの記録を表す画像情報を含む選択されたブロックＲＥＣ１、ＲＥＣ２とを有するメニューを示している。
【００２２】
本発明によるＰ−ピクチャソフトウェア符号化は、以下のステップを含む：背景画像は、メニューではＩ−ピクチャとみなされ、符号化する時間は不要である。背景画像は、ＭＰＥＧフォーマットでは静止画像であるので、通常、スタティック・メモリに記憶される。新たな記録のサムネイルはＰ−ピクチャとみなされる。背景と、１つ又は複数のサムネイルであるメニューとの間の差を符号化するのに時間を要するだけである、従って、ＤＣＴ及び量子化は、新たな記録がなされたとき、１つ又は複数のサムネイルのビデオブロックのみに適用される。
【００２３】
本発明の利点は、静止画像を符号化するためにハードウェアＭＰＥＧエンコーダを停止させる必要がないので、新たな記録がなされた後でもライブ画像がまだそこにあること、この方法は、通常の単一のＩ−フレームソフトウェア符号化よりも速いこと、公知の装置はメニュー生成の間ライブ画像を見せることができないのに対して、レコーダが「ライブ」モードである場合、メニュー生成の間、ユーザがライブ画像を見ることができること、及び、Ｉ−フレーム（背景）はあらゆるメニューにおいて常に同じであり、新たな記録がなされた後にＰ−フレームだけがソフトウェア符号化されるので、メニューをソフトウェア符号化するのに、より短い時間ですむことである。
【００２４】
好ましくは、新たな記録の間、エンコーダ参照メモリにおける第１の完全な画像が特別で専用のエクストラメモリ領域に複写される場合、及び、新たな記録の後、エクストラメモリ領域の画像がサムネイルのサイズにサブサンプリングされる場合、新たな記録のサムネイルＲＥＣ３の生成のために、いかなるエクストラ画像の復号化もなされない。
【００２５】
図４は、本発明による装置の重要な要素を概略的に表している。メモリＭ１は１つ又はいくつかのイントラ符号化画像Ｉ１を記憶するために備えられており、一方、メモリＭ２は記録媒体上の１つ又はいくつかの記録を表す画像情報を記憶するために備えられている。エンコーダＥ１は、インター符号化画像Ｐ１を計算するために、メモリＭ１からのイントラ符号化画像と、メモリＭ２からの表示画像情報とを用いる。この計算は、２つの記録の例として図２においてＲＥＣ１及びＲＥＣ２で示されている選択されたブロックのみを参照する。計算されたインター符号化画像Ｐ１は、線Ｉを介してイントラ符号化画像Ｉ１も受け取り、記録媒体上にメニュー情報として両画像を記録するためのレコーダＲ１に、線Ｐを介して伝送される。
【００２６】
エンコーダＥ１は低速のエンコーダ、例えばソフトウェアエンコーダであり、他のエンコーダＥ２は高速のエンコーダ、好ましくは、符号化されるべき動ビデオ入力ＭＶｉｎを受け取り、符号化された動ビデオ情報ＭＶｏｕｔを出力する専用エンコーダＩＣである。見てわかるように、両エンコーダＥ１、Ｅ２は、互いに並列に且つ独立して作動する。
【００２７】
図５は、光ディスクＤ１としての記録媒体を概略的に示している。この光ディスクは、記録されたメニューＭ、第１の記録Ｒ１及び第２の記録Ｒ２を示している拡大された領域Ｚ１内に示されているような記録を含むトラック２を有している。今後の記録となるであろうＲ３、Ｒ４は、点線で示されている。第２の拡大領域Ｚ２は、メニューがイントラ符号化画像Ｉ１とインター符号化画像Ｐ１とを備えることを示している。この概略図は、本発明に関するほんの一部の詳細のみを示していることを理解すべきである。
【図面の簡単な説明】
【００２８】
【図１】メニューの生成に用いられる画像の例を示している。
【図２】メニューの生成に用いられる画像の例を示している。
【図３】メニューの生成に用いられる画像の例を示している。
【図４】本発明による装置を示している。
【図５】本発明による記録媒体を示している。
【符号の説明】
【００２９】
２  トラック
Ｍ  メニュー
Ｄ１  記録媒体
Ｉ１  イントラ符号化画像（Ｉ−ピクチャ）
Ｐ１、Ｐ１’  インター符号化画像（Ｐ−ピクチャ）
Ｒ１、Ｒ２  記録
Ｚ１、Ｚ２  拡大領域
Ｍ１  イントラ符号化画像メモリ
Ｍ２  表示画像メモリ
Ｅ１、Ｅ２  エンコーダ
Ｉ、Ｐ  線
【図１】
2007531435.tif 000003
【図２】
2007531435.tif 000004
【図３】
2007531435.tif 000005
【図４】
2007531435.tif 000006
【図５】
2007531435.tif 000007
【国際調査報告】
2007531435.tif 000008
2007531435.tif 000009
2007531435.tif 000010